(57)【要約】 本発明は、フィードバック情報送信に関するものであって、広帯域無線接続システムにおけるフィードバック情報を送信するための送信機の方法であって、受信したダウンリンクフレームの情報に基づいて第２経路上のチャネルを推定する過程と、前記推定した第２経路上のチャネルと最もよく符合するチャネル代表値を獲得する過程と、前記チャネル代表値を送信するサウンディングシンボルに拡散して変調する過程と、前記変調したサウンディングシンボルを第１経路を介して送信する過程とを含む。
2011514739.tif 000002
【特許請求の範囲】
【請求項１】
広帯域無線接続システムにおけるフィードバック情報を送信するための送信機の方法であって、
受信したダウンリンクフレームの情報に基づいて第２経路上のチャネルを推定する過程と、
前記推定した第２経路上のチャネルと最もよく符合するチャネル代表値を獲得する過程と、
前記チャネル代表値を送信するサウンディングシンボルに拡散して変調する過程と、
前記変調したサウンディングシンボルを第１経路を介して送信する過程とを含むことを特徴とする方法。
【請求項２】
前記受信したダウンリンクフレームの情報は、プリアンブル及びパイロットのうち、少なくとも一つから構成されることを特徴とする請求項１に記載の方法。
【請求項３】
前記受信したダウンリンクフレームの情報に基づいて第２経路上のチャネルを推定する過程は、下記の式１を利用することを特徴とする請求項１に記載の方法。
【数１】
2011514739.tif 000013
ここで、Ｙ２は、第２アンテナに受信された信号で、ｐ１，ｐ２は、第２アンテナに受信したパイロットトーン、そして、
【数２】
2011514739.tif 000014
は推定したチャネル行列である。
【請求項４】
前記推定した第２経路上のチャネルと最もよく符合するチャネル代表値を獲得する過程は、下記の式２を利用することを特徴とする請求項１に記載の方法。
【数３】
2011514739.tif 000015
ここで、Ｅは、予め決められたコードブック行列を表し、Ｅｉは、ｉ番目のカラムを表す。そして、コードブックインデックスがＮＣＢビットを有するとき、総コードブックインデックスの数は、
【数４】
2011514739.tif 000016
となる。そして、ＩＣＢは、相関関係値のうち、最も大きな値を有するコードブックインデックスである。
【請求項５】
前記チャネル代表値を送信するサウンディングシンボルに拡散して変調する過程は、
下記の式３にてＮＣＢビット長のコードブックを使用する時にサウンディングチャネルのシンボルは、ＮＣＢ＋１個のバンドに割り当てつつ、前記コードブックインデックスのｉ番目のビットの値がｉ−１番目のビットの値から反転された場合、ｉ番目のバンドの位相値を１８０度に設定し、反転されない場合、０度に設定する過程を含むことを特徴とする請求項１に記載の方法。
【数５】
2011514739.tif 000017
ここで、Ｐは、ｍａｘ．ｄｅｌａｙ  ｓｈｉｆｔを意味するが、セル内において共通因子である。また、ｎは、ｓｈｉｆｔ  ｉｎｄｅｘを表すが、これは、同一バンドを使用する各端末に独立的に与えられる値である。ｎの割り当て範囲は、０からＰ−１まで可能である。Ｇｂ，ｋは、ｂ番目のバンドのｋ番目の副搬送波に対するＧｏｌａｙコードを表し、Ｓｂ，ｋは、ｂ番目のバンドのｋ番目の副搬送波に対するサウンディングシンボルを表す。そして、θｂは、ｂ番目のバンドの位相を表し、各バンドのθｂは、前記決定されたコードブックインデックスにより決定される。θ０は、０に設定する。
【請求項６】
広帯域無線接続システムにおけるフィードバック情報を受信するための受信機の方法であって、
第１経路を介して受信したアップリンクフレームからウンディングシンボルを獲得する過程と、
前記サウンディングシンボルを推定する過程と、
前記サウンディングシンボルを推定しながら第２経路に対するチャネル代表値を獲得する過程とを含むことを特徴とする方法。
【請求項７】
前記サウンディングシンボルを推定しながら第２経路に対するチャネル代表値を獲得する過程は、
０番のバンドでの前記サウンディングシンボル推定結果の位相に基づいて、残りのバンドでの前記サウンディングシンボル推定結果の位相値を決定する過程と、
前記残りのバンドでのサウンディングシンボル推定結果の位相値を決定する過程の中で、前記決定した位相値を利用して前記第２経路に対するコードブックインデックスビットを獲得する過程とを含むことを特徴とする請求項６に記載の方法。
【請求項８】
前記０番のバンドでの前記サウンディングシンボル推定結果の位相に基づいて残りのバンドでの前記サウンディングシンボル推定結果の位相値を決定する過程は、
下記の式４を利用して前記残りのバンドに対して、位相が０度に対するサウンディングシンボル推定結果と位相が１８０度に対するサウンディングシンボル推定結果とを計算する過程と、
前記位相が０度に対するサウンディングシンボル推定結果、及び前記位相が１８０度に対するサウンディングシンボル推定結果のうち、以前のバンドで位相が０度に対するサウンディングシンボル推定結果、及び前記位相が１８０度に対するサウンディングシンボル推定結果とのそれぞれの差を計算する過程と、
前記それぞれの差のうち、より小さな差を有する結果を該当バンドでのサウンディングシンボル推定結果の位相値として決定する過程とを含むことを特徴とする請求項７に記載の方法。
【数６】
2011514739.tif 000018
ここで、ｂの範囲は、１〜ＮＣＢで、Ｈは、該当チャネル行列を表す。そして、Ｙ０，ｋは、０番目のバンドのｋ番目の副搬送波を意味する。そして、ｂは、バンド番号を表す。そして、Ｈｂ，ｋ，Ｈｂ，１は、それぞれ該当ｂバンドでの０度のチャネル値、１８０度のチャネル値を表す。
【請求項９】
広帯域無線接続システムにおけるフィードバック情報を送信するための送信機の装置であって、
受信したダウンリンクフレームの情報に基づいて第２経路上のチャネルを推定するチャネル推定器と、
前記推定した第２経路上のチャネルと最もよく符合するチャネル代表値を獲得するコードブック選択器と、
前記チャネル代表値を送信するサウンディングシンボルに拡散して変調するサウンディングシンボル変調器と、
前記変調したサウンディングシンボルを第１経路を介して送信するモデムとを備えることを特徴とする装置。
【請求項１０】
前記受信したダウンリンクフレームの情報は、プリアンブル及びパイロットのうち、少なくとも一つから構成されることを特徴とする請求項９に記載の装置。
【請求項１１】
前記チャネル推定器は、下記の式５を利用して前記受信したダウンリンクフレームの情報に基づいて第２経路上のチャネルを推定することを特徴とする請求項９に記載の装置。
【数７】
2011514739.tif 000019
ここで、Ｙ２は、第２アンテナに受信された信号で、ｐ１，ｐ２は、第２アンテナに受信したパイロットトーン、そして、
【数８】
2011514739.tif 000020
は、推定したチャネル行列である。
【請求項１２】
前記コードブック選択器は、下記の式６を利用して前記推定した第２経路上のチャネルと最もよく符合するチャネル代表値を獲得することを特徴とする請求項９に記載の装置。
【数９】
2011514739.tif 000021
ここで、Ｅは、予め決められたコードブック行列を表し、Ｅｉは、ｉ番目のカラムを表す。そして、コードブックインデックスがＮＣＢビットを有するとき、総コードブックインデックスの数は、
【数１０】
2011514739.tif 000022
となる。そして、ＩＣＢは、相関関係値のうち、最も大きな値を有するコードブックインデックスである。
【請求項１３】
前記サウンディングシンボル変調器は、下記の式７にてＮＣＢビット長のコードブックを使用する時にサウンディングチャネルのシンボルは、ＮＣＢ＋１個のバンドに割り当てながら、前記コードブックインデックスのｉ番目のビットの値がｉ−１番目のビットの値から反転された場合、ｉ番目のバンドの位相値を１８０度に設定し、反転されない場合、０度に設定することによって、前記チャネル代表値を送信するサウンディングシンボルに拡散して変調することを特徴とする請求項９に記載の装置。
【数１１】
2011514739.tif 000023
ここで、Ｐは、ｍａｘ．ｄｅｌａｙ  ｓｈｉｆｔを意味するが、セル内で共通因子である。また、ｎは、ｓｈｉｆｔ  ｉｎｄｅｘを表すが、これは、同一バンドを使用する各端末に独立的に与えられる値である。ｎの割り当て範囲は、０からＰ−１まで可能である。Ｇｂ，ｋは、ｂ番目のバンドのｋ番目の副搬送波に対するＧｏｌａｙコードを表し、Ｓｂ，ｋは、ｂ番目のバンドのｋ番目の副搬送波に対するサウンディングシンボルを表す。そして、θｂは、ｂ番目のバンドの位相を表し、そして、各バンドのθｂは、前記決定されたコードブックインデックスにより決定される。θ０は、０に設定する。
【請求項１４】
広帯域無線接続システムにおけるフィードバック情報を受信するための受信機の装置であって、
受信したアップリンクフレームからサウンディングシンボルを獲得するサウンディングチャネル分離器と、
前記サウンディングシンボルを推定し、前記サウンディングシンボルを推定しながら第２経路に対するチャネル代表値を獲得するサウンディングチャネル復調器とを備えることを特徴とする装置。
【請求項１５】
前記サウンディングチャネル復調器は、
０番のバンドでの前記サウンディングシンボル推定結果の位相に基づいて、残りのバンドでの前記サウンディングシンボル推定結果の位相値を決定し、
前記残りのバンドでのサウンディングシンボル推定結果の位相値を決定する過程のうち、前記決定した位相値を利用して前記第２経路に対するコードブックのインデックスビットを獲得することによって、
前記サウンディングシンボルを推定しながら第２経路に対するチャネル代表値を獲得することを特徴とする請求項１４に記載の装置。
【請求項１６】
前記サウンディングチャネル復調器は、
下記の式８を利用して前記残りのバンドに対して、位相が０度に対するサウンディングシンボル推定結果と位相が１８０度に対するサウンディングシンボル推定結果とを計算し、
前記位相が０度に対するサウンディングシンボル推定結果、及び前記位相が１８０度に対するサウンディングシンボル推定結果のうち、以前のバンドで位相が０度に対するサウンディングシンボル推定結果及び前記位相が１８０度に対するサウンディングシンボル推定結果とのそれぞれの差を計算し、
前記それぞれの差のうち、より小さな差を有する結果を該当バンドでのサウンディングシンボル推定結果の位相値として決定することによって、
前記０番のバンドでの前記サウンディングシンボル推定結果の位相に基づいて残りのバンドでの前記サウンディングシンボル推定結果の位相値を決定することを特徴とする請求項１４に記載の装置。
【数１２】
2011514739.tif 000024
ここで、ｂの範囲は、１〜ＮＣＢで、Ｈは、該当チャネル行列を表す。そして、Ｙ０，ｋは、０番目のバンドのｋ番目の副搬送波を意味する。そして、ｂは、バンド番号を表す。そして、Ｈｂ，０，Ｈｂ，１は、それぞれ該当ｂバンドでの０度のチャネル値、１８０度のチャネル値を表す。
【発明の詳細な説明】
【技術分野】
【０００１】
本発明は、広帯域無線接続システムにおいて端末が２個の受信（Ｒｘ）アンテナと１個の送信（Ｔｘ）アンテナを具備している場合、フィードバック情報を效率的に送信するための装置及び方法にかかわる。
【背景技術】
【０００２】
適応変調技法（ＡＭＣ：Ａｄａｐｔｉｖｅ  Ｍｏｄｕｌａｔｉｏｎ  ａｎｄ  Ｃｏｄｉｎｇ）は、無線通信システムにおいてユーザチャネル状況に最適なデータ送信を可能なようにする技術である。
【０００３】
高速フェージング環境では、適応変調技法の円滑な動作のために、周期的なフィードバック情報の送信が必要である。このとき、送信アンテナが一つである従来のシステムでは、端末は、フィードバックチャネルを介してポスト（ｐｏｓｔ）ＣＩＮＲ（Ｃａｒｒｉｅｒ  ｔｏ  Ｎｉｏｓｅ  Ｒａｔｉｏ）を送信する。
【０００４】
多数の送／受信アンテナを使用するＭＩＭＯ（Ｍｕｌｔｉ  Ｉｎｐｕｔ  Ｍｕｌｔｉ  Ｏｕｔｏｕｔ）方式の研究が進められてきており、ＭＩＭＯ技術の使用は、システムの容量を増加させる。その例として、実際のＷｉＭＡＸ  ｗａｖｅ２のプロファイルには、２ｘ２  ＭＩＭＯが含まれている。
【０００５】
ＭＩＭＯの場合も、ＳＩＭＯ（Ｓｉｎｇｌｅ  Ｉｎｐｕｔ  Ｍｕｌｔｉ  Ｏｕｔｏｕｔ）のようにフィードバック情報を送信しなければならないが、端末は、具現の複雑度及び費用などによって受信アンテナは２個であるが、送信アンテナは１個のみを備えるのが実情である。
【０００６】
基地局と端末との間の無線チャネルの瞬時値に基づく閉ループ（ｃｌｏｓｅｄ−ｌｏｏｐ）形態の送信技法は、開放ループ（ｏｐｅｎ−ｌｏｏｐ）形態の送信技法に比べて、システム容量が大きいという特徴がある。しかしながら、前記閉ループ技法は、正確な瞬時情報を獲得するために、さらに多くのフィードバック情報を必要とする。
【０００７】
前記フィードバック方式は、大きくアナログ方式とデジタル方式とが存在するが、アナログ方式は、ダウンリンクプリアンブルのように端末が既に知られたパイロットを送信するので、基地局で直接無線チャネルの瞬時値を推定する方式であり、デジタル方式は、端末がダウンリンクチャネルを推定し量子化して送信する方式である。
【０００８】
ＷｉＭＡＸの規格でサウンディング（Ｓｏｕｎｄｉｎｇ）方式は、このうち、アナログフィードバック方式に該当する。そして、コードブック（ｃｏｄｅｂｏｏｋ）を介したフィードバックの送信は、デジタル方式に該当する。
【０００９】
デジタル方式の場合、１Ｔｘ−２Ｒｘの問題を解決するためには、各アンテナ別フィードバックを送信すればよい。しかしながら、この場合、フィードバックのオーバーヘッドは、２倍増加するという問題点がある。そして、サウンディングのようなアナログフィードバック方式は、端末のＴｘ  Ｃｈａｉｎが固定されていると、根本的に解決不可能であるという問題点がある。
【００１０】
図１は、既存のサウンディングのようなアナログフィードバック方式の１Ｔｘ−２Ｒｘの問題点を示す図である。
前記図１に示すように、サウンディング方式のフィードバックを使用するＷｉＭＡＸは、基地局１１０にて端末１２０が送信したサウンディング信号に基づいてビームフォーミング（Ｂｅａｍｆｏｒｍｉｎｇ）及び閉ループＭＩＭＯの技術を適用する。このとき、送信アンテナが一つあるから実際のチャネルをよく反映できない関係で、予想すらできないアンテナ間の干渉が発生でき、これによって大きな容量利得を得ることができないという問題点がある。
【００１１】
そのため、サウンディングのようなアナログフィードバック方式の１Ｔｘ−２Ｒｘ問題を解決する装置及び方法が必要である。
【先行技術文献】
【特許文献】
【００１２】
【特許文献１】米国特許第７１９７０８４号明細書
【発明の概要】
【発明が解決しようとする課題】
【００１３】
本発明の目的は、広帯域無線接続システムにおけるフィードバック情報を送信するための装置及び方法を提供することにある。
【００１４】
本発明の他の目的は、広帯域無線接続システムにおいてサウンディングのようなアナログ方式のフィードバック方法の１Ｔｘ−２Ｒｘ問題を解決する装置及び方法を提供することにある。
【００１５】
本発明のさらに他の目的は、広帯域無線接続システムにおいて１回のフィードバック情報の送信により２個のアンテナに対するフィードバック情報送信を可能にして、オーバーヘッドを半分に減らし、システム容量を増加させることができる装置及び方法を提供することにある。
【課題を解決するための手段】
【００１６】
本発明の目的を達成すべく、本発明の第１見地によれば、広帯域無線接続システムにおけるフィードバック情報を送信するための送信機の方法であって、受信したダウンリンクフレームの情報に基づいて第２経路上のチャネルを推定する過程と、前記推定した第２経路上のチャネルと最もよく符合するチャネル代表値を獲得する過程と、前記チャネル代表値を送信するサウンディングシンボルに拡散して変調する過程と、前記変調したサウンディングシンボルを第１経路を介して送信する過程とを含むことを特徴とする。
【００１７】
本発明の目的を達成すべく、本発明の第２見地によれば、広帯域無線接続システムにおけるフィードバック情報を受信するための受信機の方法であって、第１経路を介して受信したアップリンクフレームからサウンディングシンボルを獲得する過程と、前記サウンディングシンボルを推定する過程と、前記サウンディングシンボルを推定しながら第２経路に対するチャネル代表値を獲得する過程とを含むことを特徴とする。
【００１８】
本発明の目的を達成すべく、本発明の第３見地によれば、広帯域無線接続システムにおけるフィードバック情報を送信するための送信機の装置であって、受信したダウンリンクフレームの情報に基づいて第２経路上のチャネルを推定するチャネル推定器と、前記推定した第２経路上のチャネルと最もよく符合するチャネル代表値を獲得するコードブック選択器と、前記チャネル代表値を送信するサウンディングシンボルに拡散して変調するサウンディングシンボル変調器と、前記変調したサウンディングシンボルを第１経路を介して送信するモデムとを備えることを特徴とする。
【００１９】
本発明の目的を達成すべく、本発明の第４見地によれば、広帯域無線接続システムにおけるフィードバック情報を受信するための受信機の装置であって、受信したアップリンクフレームからサウンディングシンボルを獲得するサウンディングチャネル分離器と、前記サウンディングシンボルを推定し、前記サウンディングシンボルを推定しながら第２経路に対するチャネル代表値を獲得するサウンディングチャネル復調器とを備えることを特徴とする。
【図面の簡単な説明】
【００２０】
【図１】図１は、既存のサウンディングのようなアナログフィードバック方式の１Ｔｘ−２Ｒｘ問題点を示す図である。
【図２】図２は、本発明の実施の形態による送信機のブロック構成を示す図である。
【図３】図３は、本発明の実施の形態による受信機のブロック構成を示す図である。
【図４】図４は、本発明の実施の形態によるサウンディング信号変調方式を示す図である。
【図５】図５は、本発明の実施の形態による送信機の動作過程を示すフローチャートである。
【図６】図６は、本発明の実施の形態による受信機の動作過程を示すフローチャートである。
【発明を実施するための形態】
【００２１】
以下、本発明の好ましい実施の形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
【００２２】
以下、本発明は、広帯域無線接続システムにおけるフィードバック情報を送信するための装置及び方法について説明する。
【００２３】
本発明は、ＷｉＭＡＸのアップリンクサウンディングのようなアナログフィードバック方式にコードブックを使用するデジタルフィードバック方式を採用する技術である。アナログフィードバック方式により、２個の受信アンテナのうちの何れか一つのフィードバック情報を送信し、サウンディング信号を構成する信号に０又は１に該当する情報を拡散（ｓｐｒｅａｄｉｎｇ）することにより、残りの一個の受信アンテナのフィードバック情報を送信する装置及び方法に関する。
【００２４】
図２は、本発明の実施の形態による送信機のブロック構成を示す図である。
前記図２に示すように、前記送信機は、チャネル推定器２１０、コードブック選択器２２０、サウンディングシンボル変調器２３０、ＩＦＦＴ（Ｉｎｖｅｒｓｅ  Ｆａｓｔ  Ｆｏｕｒｉｅｒ  Ｔｒａｎｓｆｏｒｍ）２４０、ＲＦ（Ｒａｄｉｏ  Ｆｒｅｑｕｅｎｃｙ）２５０を備える。
【００２５】
前記送信機（前記送信機は、端末になりうる）は、ダウンリンクフレームのうち、プリアンブル、パイロットなどを利用して送信アンプの備えられない経路に対してチャネルを推定する。以下、送信アンプの備えられた経路を第１経路とし、送信アンプが備えられない経路を第２経路とする。そして、コードブック選択器２２０では、推定されたチャネルと最もよく符合するコードブックインデックスを選択する。該選択されたコードブックインデックスに従ってサウンディングシンボルを変調した後、送信する。
【００２６】
前記チャネル推定器２１０は、ダウンリンクプリアンブル、パイロット信号などを利用して、第２経路に対するチャネル推定を行うが、その過程は、下記のとおりである。まず、第２経路上のアンテナに受信された信号を以下のように定義する。
【００２７】
【数１】
2011514739.tif 000003
【００２８】
ここで、Ｙ２は、第２アンテナに受信された信号で、ｐ１，ｐ２は、第２アンテナに受信したパイロットトーン、Ｚ２は、第２アンテナに受信されたノイズを表す。そして、ｈ２，１，ｈ２，２は、第２アンテナでのチャネル行列を表す。
【００２９】
このとき、下記の式２のように各送信アンテナのパイロットトーンｐ１，ｐ２を互いに直交するか、又は既に知られた信号で割り算することによって、簡単にチャネルが推定されうる。
【００３０】
【数２】
2011514739.tif 000004
【００３１】
ここで、Ｙ２は、第２アンテナに受信された信号で、ｐ１，ｐ２は、第２アンテナに受信したパイロットトーン、そして、
【００３２】
【数３】
2011514739.tif 000005
【００３３】
は、推定したチャネル行列である。
【００３４】
前記コードブック選択器２２０は、推定されたチャネルと最もよく符合するコードブックインデックス間の相関関係を決定する。前記相関関係を利用して、前記コードブック選択器２２０は、下記の式３を利用して前記チャネル推定器２１０によりチャネル推定された値に該当するコードブックインデックスを選択する。そして、前記コードブック選択器２２０は、このように計算された相関関係値のうち、最も大きな値を有するコードブックインデックスを選択する。
【００３５】
【数４】
2011514739.tif 000006
【００３６】
ここで、Ｅは、予め決められたコードブック行列を表し、Ｅｉは、ｉ番目のカラムを表す。そして、コードブックインデックスがＮＣＢビットを有するとき、総コードブックインデックスの数は、
【００３７】
【数５】
2011514739.tif 000007
【００３８】
となる。そして、ＩＣＢは、相関関係値のうち、最も大きな値を有するコードブックインデックスである。
【００３９】
ＷｉＭＡＸ  ｗａｖｅ２規格においてサウンディング信号は、周波数領域で、割り当てられたバンドに予め決められたＧｏｌａｙコードＧを送信するが、ｋ番目の副搬送波に送信される信号は、与えられたＰ値とｎ値により下記の式４のように変調される。
【００４０】
【数６】
2011514739.tif 000008
【００４１】
ここで、Ｐは、ｍａｘ．ｄｅｌａｙ  ｓｈｉｆｔを意味するが、セル内で共通因子である。また、ｎは、ｓｈｉｆｔ  ｉｎｄｅｘを表すが、これは、同一バンドを使用する各端末に独立的に与えられる値である。ｎの割り当て範囲は、０からＰ−１まで可能である。以上のような特性で、連続する副搬送波Ｐ個を集めて逆拡散することによって、各端末に独立的なチャネル値を獲得することができる。
【００４２】
サウンディングシンボル変調器２３０は、本発明においてこのような特徴に下記の式５のような追加動作を追加する。
【００４３】
【数７】
2011514739.tif 000009
【００４４】
ここで、θｂは、ｂ番目のバンドの位相を意味する。各バンドのθｂは、前記式３により決定されたコードブックインデックスにより決定される。Ｇｂ，ｋは、ｂ番目のバンドのｋ番目の副搬送波に対するＧｏｌａｙコードを表し、Ｓｂ，ｋは、ｂ番目のバンドのｋ番目の副搬送波に対するサウンディングシンボルを表す。
【００４５】
そして、ＮＣＢビット長のコードブックを使用する際、サウンディングチャネルのシンボルは、ＮＣＢ＋１個のバンドに割り当てられる。このとき、第１番目のバンドは、基準になるバンドであって、θｂは０で、したがって、１の値を有すると仮定する。
【００４６】
各バンドのθｂは、下記のような方式で求めることができる。すなわち、コードブックインデックスのｉ番目のビットの値がｉ−１番目のビットの値から反転された場合、ｉ番目のビットの位相θｂは、１８０度となり、そうでない場合には０度となる。
【００４７】
図４は、本発明の実施の形態によるサウンディング信号変調方式を示す図であって、さらに具体的に、上記の過程は、図４に示されている。ここで、ＮＣＢが３で、コードブックインデックス値が１００（２）である場合の例である。このとき、各バンドの副搬送波の大きさは、Ｐと仮定する。
【００４８】
以後、変調されたサウンディング信号は、ＩＦＦＴ（Ｉｎｖｅｒｓｅ  Ｆａｓｔ  Ｆｏｕｒｉｅｒ  Ｔｒａｎｓｆｏｒｍ）部２４０、ＲＦ（Ｒａｄｉｏ  Ｆｒｅｑｕｅｎｃｙ）部２５０を介したＯＦＤＭ変調過程を経た後に送信される。すなわち、前記のような方式を使用して、チャネル代表値であるコードブックインデックスを送信することができる。
【００４９】
図３は、本発明の実施の形態による受信機のブロック構成を示す図である。
前記図３に示すように、前記図２にて送信したサウンディング信号を受信して復調する装置に対するブロック図である。前記受信機は、ＦＦＴ（Ｆｓｓｔ  Ｆｏｕｒｉｅｒ  Ｔｒａｎｓｆｏｒｍ）３１０、サウンディングチャネル分離器３２０、サウンディングチャネル復調器３３０を備えて構成される。
【００５０】
前記受信機がサウンディング信号の含まれた信号を受信すると、ＦＦＴ３１０は、ＦＦＴ演算を行う。その後、サウンディングチャネル分離器３２０は、サウンディングチャネルに該当するシンボルを分離する。このとき、分離されたサウンディングチャネルを利用して、端末が経験した第１経路のチャネルと第２経路のチャネルとを推定する。
【００５１】
このとき、第１経路のチャネルは、サウンディング信号をパイロットのように使用して直接推定でき、第２経路のチャネルは、サウンディング信号に載せられているコードブックインデックスを復調して、チャネル情報を獲得することができる。
【００５２】
受信したサウンディング信号は、端末での２個の受信アンテナのチャネル情報を有している。第１経路に対するチャネル情報は、前記図４のように副搬送波のチャネル情報に載せられており、第２経路に対するチャネル情報は、各バンドが変調された位相にコードブック情報が含まれている。前記第１経路に対する推定は、受信したサウンディングシンボルを推定すると分かる。
【００５３】
このようなサウンディング信号を受信したサウンディングチャネル復調器３３０は、下記のような方式で端末のチャネル情報を獲得することができる。まず、０番のバンドに対しては、位相が０度であるということは既に知っているために、下記の式６のようにチャネルを獲得することができる。
【００５４】
【数８】
2011514739.tif 000010
【００５５】
ここで、Ｙｂ，ｋは、ｂ番目のバンドのｋ番目の副搬送波を意味する。そして、Ｈは、該当チャネル行列、Ｓは、該当送信信号、Ｚは、該当ノイズを表す。
【００５６】
１番のバンドから、ＮＣＢバンドまでのチャネルは、端末が０度で送信したか、又は１８０度で送信したかが分からないため、２種類に対してすべて演算する。このような演算過程は、下記の式７のようである。
【００５７】
【数９】
2011514739.tif 000011
【００５８】
ここで、ｂの範囲は、１〜ＮＣＢで、Ｈは、該当チャネル行列を表す。そして、Ｙ０，ｋは、０番目のバンドのｋ番目の副搬送波を意味する。そして、ｂは、バンド番号を表す。そして、Ｈｂ，０，Ｈｂ，１は、それぞれ該当ｂバンドでの０度のチャネル値、１８０度のチャネル値を表す。
【００５９】
各バンドにおいて候補チャネルが２個ずつ発生するが、ｂ番目のバンドのチャネルに対するビット値を選択する方式は、下記の式８のようである。
【００６０】
【数１０】
2011514739.tif 000012
【００６１】
ここで、ｂは、バンドの番号を表す。Ｈｂは、第１経路のｂバンドでのチャネル値を表す。そして、Ｉｂは、決定された位相値を表す。０であると０度、１であると１８０度を表す。Ｈｂ，０は、ｂバンドでの位相が０度であるときのチャネル値を表し、Ｈｂ，１は、ｂバンドでの位相が１８０度であるときのチャネル値を表す。
【００６２】
すなわち、以前のコードブックインデックスのビットに対して、位相が０度であると、以前のビット値を維持し、位相が１８０度であると、以前のビット値に対して反転されたビット値が該当ビット値になる。
【００６３】
前記式８にてｂ−１番目の推定されたチャネルとの差が小さな位相を選択することによって、第１経路と第２経路チャネルの推定が同時に可能である。Ｉｂ値の変化に従って第２経路でのコードブックインデックスを求めることができる。
【００６４】
又は、前記のような方式を使用してチャネル代表値であるコードブックインデックスを獲得することができる。
【００６５】
図５は、本発明の実施の形態による送信機の動作過程を示すフローチャートである。
前記図５に示すように、前記送信機は、受信したダウンリンクフレームにて、プリアンブル、パイロット信号などを利用して、第２経路に対するチャネルを前記式１及び前記式２を利用して推定する（ステップ５１０）。
【００６６】
以後、決められたコードブックと推定したチャネルとの間の相関関係を計算して、最も大きな値を有するコードブックを前記式３を利用して選択する（ステップ５２０）。
【００６７】
以後、前記式５に従って、送信機は、１個のアンテナ（第１経路）に該当する信号はアナログフィードバックを利用して（サウンディングチャネルを利用して）送信し、残りのアンテナ（第２経路）に該当する信号はサウンディング信号を構成する信号に拡散を行う（ステップ５３０）。
【００６８】
以後、送信機は、ＩＦＦＴ過程及び以後のＯＦＤＭ変調過程を行った後、受信機に送信する（ステップ５４０）。
【００６９】
図６は、本発明の実施の形態による受信機の動作過程を示すフローチャートである。
前記図６に示すように、前記受信機は、ＦＦＴ演算が完了した信号からサウンディングチャネルに該当するシンボルを分離する（ステップ６１０）。
【００７０】
以後、前記式６を利用して分離されたサウンディングチャネルのシンボルから第１経路のチャネルに対して、サウンディング信号をパイロットのように使用して直接推定する（ステップ６２０）。
【００７１】
以後、前記式７及び前記式８を利用して分離されたサウンディングチャネルのシンボルから第２経路のチャネルに対して、前記サウンディング信号に含まれたコードブックインデックスを復調してチャネル情報（コードブックインデックス）を獲得する（ステップ６３０）。
【００７２】
本発明は、サウンディングのようなアナログ方式のフィードバック方法の１Ｔｘ−２Ｒｘ問題を效率的に解決でき、２番フィードバックを送信する方式に比べてオーバーヘッドも半分に減らすことができるという利点がある。また、本発明は、１Ｔｘ−２Ｒｘの問題を解決して無線移動通信システムのセル容量を増加させるという利点がある。
【００７３】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【符号の説明】
【００７４】
２１０  チャネル推定器
２２０  コードブック選択器
２３０  サウンディングシンボル変調器
２４０，３１０  ＩＦＦＴ
２５０  ＲＦ
３２０  サウンディングチャネル分離器
３３０  サウンディングチャネル復調器
【図１】
2011514739.tif 000025
【図２】
2011514739.tif 000026
【図３】
2011514739.tif 000027
【図４】
2011514739.tif 000028
【図５】
2011514739.tif 000029
【図６】
2011514739.tif 000030
【国際調査報告】
2011514739.tif 000031
2011514739.tif 000032